【事件の表示】
　特願２０１３−　　４２６９号「遊技機」拒絶査定不服審判事件〔平成２６年　７月２８日出願公開、特開２０１４−１３５９６１号〕について、次のとおり審決する。
【結　論】
　本件審判の請求は、成り立たない。
【理　由】
第１　手続の経緯
　本願は、平成２５年１月１５日の出願であって、平成２８年１０月１８日付けで拒絶の理由が通知され、同年１２月１４日に意見書及び手続補正書が提出され、平成２９年４月２１日付けで最後の拒絶の理由が通知され、同年７月４日に意見書が提出されたところ、同年１０月２０日付けで拒絶査定（以下「原査定」という。）がなされ、それに対して、平成３０年１月１７日に拒絶査定不服審判の請求がなされると同時に手続補正がなされたものである。
　
第２　平成３０年１月１７日付け手続補正についての補正の却下の決定
〔補正の却下の決定の結論〕
　平成３０年１月１７日付け手続補正についての補正（以下「本件補正」という。）を却下する。
　
〔理由〕
１　本件補正の内容
（１）本件補正は、特許請求の範囲についてする補正を含むものであって、平成２８年１２月１４日付け手続補正書によって補正された本件補正前の請求項１に、
「遊技媒体が進入可能な遊技領域が設けられ、始動領域を遊技媒体が通過したことに基づいて可変表示を行う遊技機であって、
　前記始動領域として第１始動領域、第２始動領域および第３始動領域が設けられ、
　遊技媒体を振り分けるための振分装置が前記遊技領域に設けられ、
　前記振分装置は、
　遊技媒体が当該振分装置に流入可能な流入口と、
　遊技媒体が通過可能な複数の通路と、
　遊技媒体を前記複数の通路のうちのいずれかに振り分ける振分手段と
　を含み、
　前記振分手段は、前記複数の通路のうちの第１通路に遊技媒体を振り分けやすい第１状態と第２通路に遊技媒体を振り分けやすい第２状態とに所定の順序に従って切り替わり、
　前記第１始動領域は、前記第１通路に振り分けられた遊技媒体が通過しやすい態様で設けられ、
　前記第２始動領域は、前記第２通路に振り分けられた遊技媒体が通過しやすい態様で設けられ、
　前記第１始動領域を通過した遊技媒体を検出する第１検出手段と、
　前記第２始動領域を通過した遊技媒体を検出する第２検出手段と、
　前記第３始動領域を通過した遊技媒体を検出する第３検出手段と、
　前記第１検出手段および前記第２検出手段によって検出された遊技媒体の通過順序が所定の順序と異な
る場
　を備え、
　前記異常判定手段は、前記第３検出手段の検出結果にかかわらず前記判定を行い、
　前記第１検出手段と前記第２検出手段と前記第３検出手段とのいずれかにより遊技媒体が検出されたことにより可変表示の実行条件が成立した後、可変表示の開始条件が成立したことにもとづいて可変表示を行う可変表示手段と、
　前記第１検出手段により遊技媒体が検出されたことにより前記実行条件は成立したが、前記開始条件が成立していない可変表示について、保留記憶として所定の上限値まで記憶する第１保留記憶手段と、
　前記第２検出手段と前記第３検出手段とのいずれかにより遊技媒体が検出されたことにより前記実行条件は成立したが、前記開始条件が成立していない可変表示について、保留記憶として所定の上限値まで記憶する第２保留記憶手段と、
　保留記憶の数が特定値となったことにもとづいて複数回の可変表示において特別演出を実行する特別演出実行手段と
　を更に備えることを特徴とする遊技機。」とあったものを、
　
「遊技媒体が進入可能な遊技領域が設けられ、始動領域を遊技媒体が通過したことに基づいて可変表示を行う遊技機であって、
　前記始動領域として第１始動領域、第２始動領域および第３始動領域が設けられ、
　遊技媒体を振り分けるための振分装置が前記遊技領域に設けられ、
　前記振分装置は、
　遊技媒体が当該振分装置に流入可能な流入口と、
　遊技媒体が通過可能な複数の通路と、
　遊技媒体を前記複数の通路のうちのいずれかに振り分ける振分手段と
　を含み、
　前記振分手段は、前記複数の通路のうちの第１通路に遊技媒体を振り分けやすい第１状態と第２通路に遊技媒体を振り分けやすい第２状態とに所定の順序に従って切り替わり、
　前記第１始動領域は、前記第１通路に振り分けられた遊技媒体が通過しやすい態様で設けられ、
　前記第２始動領域は、前記第２通路に振り分けられた遊技媒体が通過しやすい態様で設けられ、
　前記第１始動領域を通過した遊技媒体を検出する第１検出手段と、
　前記第２始動領域を通過した遊技媒体を検出する第２検出手段と、
　前記第３始動領域を通過した遊技媒体を検出する第３検出手段と、
　前記第１検出手段および前記第２検出手段によって検出された遊技媒体の通過順序が所定の順序と異な
る入賞順異常が発生した場
　を備え、
　前記異常判定手段は、前記第３検出手段の検出結果にかかわらず前記判定を行い、
　前記第１検出手段と前記第２検出手段と前記第３検出手段とのいずれかにより遊技媒体が検出されたことにより可変表示の実行条件が成立した後、可変表示の開始条件が成立したことにもとづいて可変表示を行う可変表示手段と、
　前記第１検出手段により遊技媒体が検出されたことにより前記実行条件は成立したが、前記開始条件が成立していない可変表示について、保留記憶として所定の上限値まで記憶する第１保留記憶手段と、
　前記第２検出手段と前記第３検出手段とのいずれかにより遊技媒体が検出されたことにより前記実行条件は成立したが、前記開始条件が成立していない可変表示について、保留記憶として所定の上限値まで記憶する第２保留記憶手段と、
　保留記憶の数が特定値となったことにもとづいて複数回の可変表示において特別演出を実行する特別演出実行手段と
　を更に備えることを特徴とする遊技機。」とする補正を含むものである（下線は補正箇所を明示するために合議体が付した。）。
　
（２）本件補正後の請求項１に係る上記（１）の補正は、次の補正事項からなる。
　本件補正前の請求項１に係る発明を特定するために必要な事項である「異常判定手段」が「異常と判定する」「遊技媒体の通過順序が所定の順序と異なる」場合を「入賞順異常が発生した場合」とする補正。
　
２　本件補正の目的
（１）上記１（２）の補正は、願書に最初に添付された特許請求の範囲、明細書及び図面（以下「当初明細書等」という。）の【０１２０】、【０１２１】等の記載に基づいて、本件補正前の請求項１において記載されていた「異常判定手段」が「異常と判定する」「遊技媒体の通過順序が所定の順序と異なる」場合を「入賞順異常が発生した場合」と限定するものである。
　
（２）以上のとおり、本件補正後の請求項１に係る上記１（２）の補正は、新規事項を追加するものではないから、特許法第１７条の２第３項に規定する要件を満たす。また、本件補正後の請求項１に係る上記１（２）の補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
　
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
　
（１）本願補正発明
　本願補正発明を再掲すると、次のとおりのものである。なお、記号ＡないしＬは、分説するため合議体が付した。
　
「Ａ　遊技媒体が進入可能な遊技領域が設けられ、始動領域を遊技媒体が通過したことに基づいて可変表示を行う遊技機であって、
　Ｂ　前記始動領域として第１始動領域、第２始動領域および第３始動領域が設けられ、
　Ｃ　遊技媒体を振り分けるための振分装置が前記遊技領域に設けられ、
　　　前記振分装置は、
　Ｃ−１　遊技媒体が当該振分装置に流入可能な流入口と、
　Ｃ−２　遊技媒体が通過可能な複数の通路と、
　Ｃ−３　遊技媒体を前記複数の通路のうちのいずれかに振り分ける振分手段と
　を含み、
　Ｃ−３−１　前記振分手段は、前記複数の通路のうちの第１通路に遊技媒体を振り分けやすい第１状態と第２通路に遊技媒体を振り分けやすい第２状態とに所定の順序に従って切り替わり、
　Ｂ−１　前記第１始動領域は、前記第１通路に振り分けられた遊技媒体が通過しやすい態様で設けられ、
　Ｂ−２　前記第２始動領域は、前記第２通路に振り分けられた遊技媒体が通過しやすい態様で設けられ、
　Ｄ　前記第１始動領域を通過した遊技媒体を検出する第１検出手段と、
　Ｅ　前記第２始動領域を通過した遊技媒体を検出する第２検出手段と、
　Ｆ　前記第３始動領域を通過した遊技媒体を検出する第３検出手段と、
　Ｇ　前記第１検出手段および前記第２検出手段によって検出された遊技媒体の通過順序が所定の順序と異なる入賞順異常が発生した場合に異常と判定する異常判定手段と
　を備え、
　Ｇ−１　前記異常判定手段は、前記第３検出手段の検出結果にかかわらず前記判定を行い、
　Ｈ　前記第１検出手段と前記第２検出手段と前記第３検出手段とのいずれかにより遊技媒体が検出されたことにより可変表示の実行条件が成立した後、可変表示の開始条件が成立したことにもとづいて可変表示を行う可変表示手段と、
　Ｉ　前記第１検出手段により遊技媒体が検出されたことにより前記実行条件は成立したが、前記開始条件が成立していない可変表示について、保留記憶として所定の上限値まで記憶する第１保留記憶手段と、
　Ｊ　前記第２検出手段と前記第３検出手段とのいずれかにより遊技媒体が検出されたことにより前記実行条件は成立したが、前記開始条件が成立していない可変表示について、保留記憶として所定の上限値まで記憶する第２保留記憶手段と、
　Ｋ　保留記憶の数が特定値となったことにもとづいて複数回の可変表示において特別演出を実行する特別演出実行手段と
　Ｌ　を更に備えることを特徴とする遊技機。」
（２）引用例
　ア　原査定の拒絶の理由に引用文献１として引用され、本願出願前に頒布された刊行物である特開２０１２−２３１９０２号公報（平成２４年１１月２９日出願公開、以下「引用例１」という。）には、次の事項が図とともに記載されている（下線は引用発明等の認定に関連する箇所を明示するために合議体が付した。以下同様。）。
　（ア）「【技術分野】
【０００１】
　本発明は、遊技盤に有する遊技媒体が流下する遊技領域に配設されて、軸を中心に両側に傾動する振分部材によって、流下する遊技媒体を両側に振り分け可能な遊技機に関する。
【背景技術】
【０００２】
　従来、この種の遊技機として、回転軸から下方へ直線状に延びた振分部材が、流下する遊技球と衝突することで左右に傾動するものが知られている（特開２００５−３３４５０１号公報）。
　・・・略・・・
【発明の概要】
【発明が解決しようとする課題】
【０００４】
　しかしながら、上述した従来の遊技機では、例えば、遊技球の流下速度が遅い場合、振分部材が遊技球と衝突しても傾動姿勢が変更されず、遊技球が左右の一方側に偏って振り分けられるということがあった。
【０００５】
　本発明は、上記事情に鑑みてなされたもので、振分部材が遊技媒体を両側に交互に振り分け可能な遊技機の提供を目的とする。」
　（イ）「【発明を実施するための形態】
【００２５】
　以下、本発明を適用した
パチンコ遊技機１０
遊技盤１１の前面には、ガイドレール１２で囲まれたほぼ円形の遊技領域ＹＲ１が形成されている
【００２６】
　遊技盤１１の前面は、パチンコ遊技機１０の前面に開閉可能に取り付けられた前面枠１０Ｚにて覆われ、その前面枠１０Ｚに形成されたガラス窓１０Ｗを通して遊技領域ＹＲ１の全体が視認可能となっている。前面枠１０Ｚのうちガラス窓１０Ｗより上側の両角位置には、それぞれスピーカ２５，２５が設けられている。また、前面枠１０Ｚのうちガラス窓１０Ｗより下方には、上皿２６及び下皿２７が上下２段にして設けられ、下皿２７の右端部には操作ノブ２８が設けられている。そして、操作ノブ２８を回動操作すると、上皿２６に収容された遊技球（本発明の「遊技媒体」に相当する）が遊技領域ＹＲ１に向けて弾き出される。なお、上皿２６に備えたボタン（図示せず）を押すと上皿２６に収容されている遊技球が下皿２７へと移動する。
【００２７】
　図２に示すように、遊技盤１１のうち遊技領域ＹＲ１の中央には、遊技盤表示窓１１Ｈが貫通形成されており、その遊技盤表示窓１１Ｈに遊技盤１１の裏面側から表示装置３０が対向している。表示装置３０は、液晶モジュールで構成され、その表示画面３０Ｇが、遊技盤１１の奥側に配置されている。
【００２８】
　遊技盤１１の前面中央には、表示画面３０Ｇを囲むように表示装飾枠２３が取り付けられている。表示装飾枠２３は、遊技盤１１の前面側から遊技盤表示窓１１Ｈに嵌め込まれ、遊技盤表示窓１１Ｈの内側に張り出すと共に、遊技盤１１の前面から突出している。そして、遊技領域ＹＲ１を流下する遊技球が、表示装飾枠２３の前側を通過して表示装飾枠２３の内側に進入しないように構成されている。
【００２９】
　表示装飾枠２３の左側の下方には、風車１９が設けられ、遊技領域ＹＲ１の左側を流下してきた遊技球の進路を中央側へ変更可能になっている。また、表示装飾枠２３の左側部には、表示装飾枠２３の下辺の内側上面に形成されたステージ２４へ遊技球を案内するためのステージ導入口２２が備えられている。
【００３０】
　ステージ２４における左右方向の中央部には、ステージ２４上の遊技球を前方へ案内する球誘導路２４Ａ，２４Ａが横並びに配置されている。また、ステージ２４の奥側には、図示しないワープ入口が設けられ、そのワープ入口に入球した遊技球が、球誘導路２４Ａ，２４Ａの下方に配置されたワープ出口２４Ｂから排出されるようになっている。
【００３１】
　表示装飾枠２３の下方における右側には、
第３始動入賞口１７
【００３２】
　表示装飾枠２３の下方における左右方向の中央部には、振分装置４０とアウト口１６
が
振分装置４０は、下端部に第１始動入賞口１４Ａ
第２始動入賞口１４Ｂ
を左右横並びにして備え、上端部で上方に開口した入球口４１に入球した遊技球を第１と第２の始動入賞口１４Ａ，１４Ｂに振り分け可能になっている
【００３３】
　遊技領域ＹＲ１の下側部分には、ガイドレール１２に沿って一般入賞口２０が複数設けられている。また、遊技領域ＹＲ１には多数の障害釘が植設されている。
【００３４】
　次に、遊技領域ＹＲ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入賞すると、その遊技球は遊技盤１１の裏側に取り込まれ、例えば、１個の入賞につき１５個の賞球が上皿２６に払い出される。
【００３５】
　第１及び第２の始動入賞口１４Ａ，１４Ｂも、一般入賞口２０と同様に、ポケット構造になっていて、遊技球が１つずつ入ることが可能な大きさで上方に開口している。
【００３６】
　始動ゲート１８は、遊技球が潜って通過可能な門形構造をなしている。始動ゲート１８を遊技球が通過すると普通図柄の当否判定が行われる。その当否判定の結果は、表示画面３０Ｇの右下隅の普通図柄表示部３８にて表示される。例えば、当否判定の結果が当たりの場合には、普通図柄表示部３８に「○」が表示され、外れの場合には、「×」が表示される。なお、普通図柄表示部３８が変動表示の最中に始動ゲート１８を遊技球が通過した場合、その通過球は最大で４個まで保留記憶される。そして、普通図柄表示部３８の変動表示が終了すると、その保留記憶に基づいて再び普通図柄表示部３８が変動表示される。
【００３７】
　なお、本実施形態では、通常の遊技状態では、普通図柄の当否判定が当たりとなる確率は低く設定されており、後述する「大当たり遊技」後に、普通図柄の当否判定が当たりとなる確率が高くなる「時短遊技」に突入する。「時短遊技」は、「大当たり遊技」終了後、第１〜第３の始動入賞口１４Ａ，１４Ｂ，１７への入賞回数が、例えば、１００回に達するか、或いは、「時短遊技」中に「大当たり遊技」へ移行した場合に終了する。
【００３８】
　第３の始動入賞口１７は、遊技盤１１の前面から突出した部材の上面に遊技球が１つずつ入賞可能な開口を備えた、所謂、ポケット構造をなし、その開口の左右両側には可動翼片１７Ａ，１７Ａが備えられている。これら両可動翼片１７Ａ，１７Ａは、常には、起立状態になっている。また、第３始動入賞口１７の上方には、図示しない障害釘が配置されて、常には遊技球が入賞しないようになっている。そして、上述した普通図柄の当否判定結果が当たりとなった場合に、可動翼片１７Ａ，１７Ａが所定期間に亘って横に倒される。すると、第３始動入賞口１７の上方空間が側方に開放し、遊技球が可動翼片１７Ａを案内して第３始動入賞口１７に入賞可能となる。
【００３９】
　各始動入賞口１４Ａ，１４Ｂ，１７に遊技球が入賞すると、例えば、１個の入賞につき４個の遊技球が上皿２６に払い出されると共に、特別図柄の当否判定が行われる。その判定結果は、表示装置３０の表示画面３０Ｇにて表示される。
【００４０】
　具体的には、表示画面３０Ｇには、通常、３つの左、中、右の特別図柄（図示せず）が横並びに停止表示されている。これら各特別図柄は、例えば、「０」〜「９」の数字を表記した複数種類のもので構成されており、通常は、各特別図柄ごと、所定の種類のものが停止表示されている。そして、
始動入賞口１４Ａ，１４Ｂ，１７に遊技球が入賞したときに、
特別図柄が変動表示
され
【００４１】
　ここで、表示画面３０Ｇにて特別図柄が変動表示している最中又は「大当たり遊技」の最中に各始動入賞口１４Ａ，１４Ｂ，１７に入賞した遊技球の数は、所定の保留限度数（４個）まで保留記憶され、特別図柄が外れの図柄組み合わせで停止表示又は「大当たり遊技」が終了すると、その保留記憶に基づいて再び、特別図柄の変動表示が開始される。なお、保留記憶数は、表示画面３０Ｇのうち上述した普通図柄表示部３８の上方にある特別図柄保留数表示部３７によって遊技者に報知される。
【００４２】
　具体的には、
第１及び第２の始動入賞口１４Ａ，１４Ｂに入賞した遊技球の保留記憶数の合計が、
青色の「１」〜「８」までの数字で表示され、第３始動入賞口１７に入賞した遊技球の保留記憶数が、
赤色の「１」〜「４」までの数字で表示される
　（ウ）「【００４６】
　さて、図３には、
振分装置４０
　・・・略・・・
【００５６】
　
始動入賞口本体５８の上端部には、球検出センサ５９が備えられている
　・・・略・・・
【００７３】
　図１１に示すように、振分部材４２は、基準中心線Ｌ２（即ち、中央規制部４４）が鉛直方向と平行な状態から左側へ回転すると、第１規制部４５Ａの下面がストッパ突部４３の平坦部４３Ｈと当接して、左側への回転が規制される。このとき、第２の受容部４６Ｂが導入流路４７の下方位置で上方に向かって開放した状態となり、第１の受容部４６Ａが左側に向かって開放した状態になる。また、第１規制部４５Ａは、回転軸部８０に対して斜め左下方に配置され、第１規制部４５Ａの上面が左側へ向かって下るように傾斜してストッパ突部４３の左側の傾斜面４３Ｋと略面一になっている。
【００７４】
　また、図１２に示すように、振分部材４２が、基準中心線Ｌ２（中央規制部４４）が鉛直方向と平行な状態から右側へ回転すると、第２規制部４５Ｂの下面がストッパ突部４３の平坦部４３Ｈと当接して、右側への回転が規制される。このとき、第１の受容部４６Ａが導入流路４７の下方位置で上方に向かって開放した状態となり、第２の受容部４６Ｂが右側に向かって開放した状態になる。また、第２規制部４５Ｂは、回転軸部８０に対して斜め右下方に配置され、第１規制部４５Ｂの上面が右側へ向かって下るように傾斜してストッパ突部４３の右側の傾斜面４３Ｋと略面一になっている。なお、図１１及び図１２に示した振分部材４２は、区画壁８１及び外周壁８１Ｇが振分部材受容部６２の下側内側面６２Ｍと当接することによっても回転が規制されている。
【００７５】
　ここで、振分部材４２は、上述した第１磁石７３と第２磁石８３との反発によって、基準中心線Ｌ２、即ち、中央規制部４４が鉛直方向と平行になった状態では安定せず、基準中心線Ｌ２が鉛直方向に対して左右の何れかに傾いた状態となる。また、振分部材４２は、基準中心線Ｌ２を中心とした左右対称形状をなし、回転軸部８０から上方に張り出した形状になっているので、重心４２Ｇが回転軸部８０より上方でかつ基準中心線Ｌ２上に位置する。従って、振分部材４２は、基準中心線Ｌ２が鉛直方向に対して傾くと、自重によって左側又は右側へ回転する。これにより、振分部材４２は、図１１に示す位置か図１２に示す位置の何れか一方の位置で位置決めされる。本実施形態では、図１１に示す振分部材４２の位置が、本発明の「第１側傾動位置」に相当し、図１２に示す振分部材４２の位置が、本発明の「第２側傾動位置」に相当する。なお、振分部材４２は、例えば、合成樹脂製であって、遊技球１つ分の重さよりも軽くなっている。
【００７６】
　次に、振分装置４０の動作について説明する。図１１に示すように、振分装置４０の入球口４１に入球した遊技球９０は鉛直下方に流下する。振分部材４２が第１側傾動位置に配置されていると、遊技球９０は、中央規制部４４によって第１の受容部４６Ａへの受容が規制され、第２の受容部４６Ｂに受容される。詳細には、振分部材４２が第１側傾動位置にあるとき、中央規制部４４と左側の流路側壁５７との間隔及び第２規制部４６Ｂと右側の流路側壁５７との間隔が、遊技球９０の直径よりも小さくなっていて、遊技球９０は、中央規制部４４によって左側への流下が規制されると共に、第２規制部４５Ｂによって右側への流下が規制されて、第２の受容部４６Ｂに受容される。
【００７７】
　このとき、第２の受容部４６Ｂに受容された遊技球９０は、重心が回転軸部８０の中心軸よりも右側に位置する。また、振分部材４２の重心は、上述したように、基準中心線Ｌ２上にあり、回転軸部８０の中心軸よりも右側に位置する。即ち、遊技球９０の重心は、振分部材４２の回転軸を挟んで振分部材４２の重心と反対側に配置されている。ここで、遊技球９０の重量は振分部材４２の重量よりも大きくなっているので、振分部材４２は、遊技球９０の自重によって右側へ回転し、第２側傾動位置に配置される（図１２参照）。
【００７８】
　図１２に示すように、振分部材４２が第２側傾動位置に配置されると、第２の受容部４６Ｂに受容されていた遊技球９０は、第２規制部４６Ｂ及びストッパ突部４３の右側の傾斜面４３Ｋに沿って斜め右下方に転動した後、右側の流路側壁５７の下端部に沿って鉛直下方に流下し、第２始動入賞口１４Ｂに入球する。なお、このとき、遊技球９０は、誘導突条６０によって前方へ押されるが、前面カバー５３の裏面に形成された誘導凹部５６Ａ（図５参照）によって前方への移動が許容される。これにより、遊技球９０は、第２始動入賞口１４Ｂの前側に入球しやすくなっている。
【００７９】
　次いで、図１３に示すように、振分部材４２が第２側傾動位置に配置された状態で入球口４１に遊技球９０が入球すると、遊技球９０は、第１の受容部４６Ａに受容される。詳細には、振分部材４２が第１側傾動位置に配置されたときと同様に、遊技球９０は、中央規制部４４によって右側への流下が規制されると共に、第１規制部４５Ａによって左側への流下が規制されて、第１の受容部４６Ａに受容される。
【００８０】
　そして、図１１から図１２への変化と同様に、振分部材４２は、遊技球９０の自重によって左側へ回転し、第１側傾動位置に配置される（図１４参照）。すると、第１の受容部４６Ａに受容されていた遊技球９０が、第１規制部４６Ａ及びストッパ突部４３の左側の傾斜面４３Ｋに沿って斜め左下方に転動した後、左側の流路側壁５７の下端部に沿って鉛直下方に流下し、第１始動入賞口１４Ａに入球する。
【００８１】
　そして、次の遊技球が入賞口４１に入球すると、図１１〜図１４に示す変化が繰り返される。このように、
振分装置４０の入球口４１に入球した遊技球９０は、振分部材４２によって１個ずつ左右交互に振り分けられ、第１始動入賞口１４Ａと第２始動入賞口１４Ｂに交互に入賞する
【００８２】
　なお、本実施形態では、取付板５１と前面壁５４とで挟まれた領域のうち入球口４１より下方かつ振分部材受容部６２より上方の領域が、本発明の導入流路Ｒ１に相当する（図１１〜図１４参照）。また、
左側の誘導突条６０の下方かつ第１始動入賞口１４Ａの上方の領域Ｒ３とを合わせた
第１の分岐流路
右側の誘導突条６０の下方かつ第２始動入賞口１４Ｂの上方の領域Ｒ５とを合わせた
第２の分岐流路
　・・・略・・・
【００８８】
　このように、本実施形態のパチンコ遊技機１０によれば、振分部材４２が、基準中心線Ｌ２の両側に備えた２つの受容部で遊技球９０を交互に受容し、各受容部から遊技球９０を排出するので、遊技球９０を左右に交互に振り分けることができる。また、振分部材４２は、遊技球９０を第１の受容部４６Ａ又は第２の受容部４６Ｂで下方から受け止めて流下させる構成になっているので、遊技球９０の流下速度を減速して流下させることができる。
【００８９】
　また、本実施形態によれば、第１始動入賞口１４Ａと第２始動入賞口１４Ｂとに交互に入賞させることができる。ここで、各始動入賞口について当否判定結果を最大４つまで保留できる場合には、最大８つまで当否判定結果を保留することが可能になる。しかも、
第１始動入賞口１４Ａの４つの保留記憶に対応して、例えば、１，３，５，７章のストーリー演出を用意すると共に、第２始動入賞口１４Ｂの４つの保留記憶に対応して、例えば、２，４，６，８章のストーリー演出を用意すれば、１〜８章までの連続したストーリー演出が可能になる
　（エ）「【００９０】
　［他の実施形態］
　本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００９１】
　（１）前記実施形態では、本発明をパチンコ遊技機に適用した例を示したが、アレンジボールに適用してもよい。
【００９２】
　（２）前記実施形態では、遊技媒体が球体であったが、ラグビーボールのような楕円体であってもよいし、サッカーボールのような球形に近い多面体であってもよい。
【００９３】
　（３）
第１始動入賞口１４Ａ又は第２始動入賞口１４Ｂに遊技球が２個以上連続して入賞した場合に異常報知を行う
　（オ）「【図２】
・・・略・・・
【図６】
・・・略・・・
【図１１】
【図１２】
【図１３】
【図１４】
」
　（カ）遊技盤の正面図である図２（上記（オ））の記載からみて、
振分装置４０は、遊技領域ＹＲ１に設けられている
始動入賞口本体５８は、第１及び第２の始動入賞口１４Ａ，１４Ｂを構成するもの
振分装置４０は
第１の分岐流路と
第２分岐流路と
振分部材４０とを含む
　（キ）上記（ア）ないし（カ）からみて、引用例１には、実施形態として、次の発明が記載されている。なお、ａないしｌについては本願補正発明のＡないしＬに対応させて付与し、引用箇所の段落番号等を併記した。
「ａ、ｈ　遊技盤１１の前面にガイドレール１２で囲まれたほぼ円形の遊技領域ＹＲ１が形成され、始動入賞口１４Ａ，１４Ｂ，１７に遊技球が入賞したときに、特別図柄が変動表示される、パチンコ遊技機１０（【００２５】、【００４０】）であって、
　ｂ　前記始動入賞口１４Ａ，１４Ｂ，１７は、第１始動入賞口１４Ａ、第２始動入賞口１４Ｂ及び第３始動入賞口１７であり（【００３１】、【００３２】）、
　ｃ　遊技球を第１始動入賞口１４Ａと第２始動入賞口１４Ｂに振り分け可能とする振分装置４０は、遊技領域ＹＲ１に設けられ（【００３２】、図２、上記（カ））、
　前記振分装置４０は、
　ｃ−１　上端部で上方に開口し、遊技球が入球可能で入球口４１（【００３２】）と、
　ｃ−２　左側の誘導突条６０の下方かつ第１始動入賞口１４Ａの上方の領域Ｒ３とを合わせた第１の分岐流路と、右側の誘導突条６０の下方かつ第２始動入賞口１４Ｂの上方の領域Ｒ５とを合わせた第２の分岐流路（【００８２】、上記（カ））と、
　ｃ−３　入球口４１に入球した遊技球９０を１個ずつ左右交互に振り分ける振分部材４２（【００８１】、上記（カ））と、
　を含み、 
　ｃ−３−１、ｂ−１、ｂ−２　前記振分部材４２は、第１始動入賞口１４Ａと第２始動入賞口１４Ｂに交互に入賞するように、入球口４１に入球した遊技球９０を１個ずつ左右交互に振り分け（【００８１】）、
　ｄ、ｅ　第１始動入賞口１４Ａ及び第２始動入賞口１４Ｂを構成する始動入賞口本体５８の上端部には、球検出センサ５９が備えられ、
　ｇ、ｇ−１　第１始動入賞口１４Ａ又は第２始動入賞口１４Ｂに遊技球が２個以上連続して入賞した場合に異常報知を行い（【００９３】）、
　ｉ’、ｊ’　第１及び第２の始動入賞口１４Ａ，１４Ｂに入賞した遊技球の保留記憶数の合計が、青色の「１」〜「８」までの数字で表示され、第３始動入賞口１７に入賞した遊技球の保留記憶数が、赤色の「１」〜「４」までの数字で表示され（【００４２】）、
　ｋ　第１始動入賞口１４Ａの４つの保留記憶に対応して、例えば、１，３，５，７章のストーリー演出を用意すると共に、第２始動入賞口１４Ｂの４つの保留記憶に対応して、例えば、２，４，６，８章のストーリー演出を用意すれば、１〜８章までの連続したストーリー演出を可能とした（【００８９】）、
　ｌ　パチンコ遊技機１０。」（以下「引用発明」という。）
　イ　原査定の拒絶の理由に引用文献２として引用され、本願出願前に頒布された刊行物である特許第４９３８１５０号公報（平成２４年５月２３日発行、以下「引用例２」という。）には、次の事項が図とともに記載されている。
　（ア）「【技術分野】
【０００１】
　本発明は、
遊技盤上を転動する遊技球を受入れて二つの流路の何れかに振分ける遊技球振分装置
を具備するパチンコ遊技機
　（イ）「【発明を実施するための形態】
【００４１】
　図１は、本発明に係る
遊技球振分装置８
第１流路８１には、第１始動口８Ｘとその入賞センサ８ｘを、第２流路８２には、第２始動口８Ｙとその入賞センサ８ｙを各設け
　・・・略・・・
【実施例１】
【００５０】
　図８は、以上の遊技球振分装置８を具備する実施例１に係るパチンコ遊技機の遊技盤２を示す。遊技球振分装置８は、カラー液晶表示器から成る演出表示装置７０を具備する演出表示ユニット７の下方に配置している。球受入口８０は、演出表示ユニット７の飾り枠７１の左側に設けるワープルート入口７２から取り込んだ遊技球を開放する中央下部のワープルート出口７３の下方に対応させて配置している。
【００５１】
　遊技球振分装置８の前カバー８Ｆには、１周期について８個の遊技球Ｐ１−１〜Ｐ１−７，Ｐ２−２が第１又は第２始動口８Ｘ，８Ｙの各入賞センサ８ｘ，８ｙで検出される毎に、第２流路８２に振分けられた遊技球Ｐ２−１（丸囲み２の表示）を時計の１２時の位置として４５度ずつあたかも時計が進むように、内蔵するＬＥＤランプを所定時間例えば５秒間を上限に点灯させ、第１流路８１への遊技球の振分けが第１個数Ｎ１（７個）のうちの第何番目に当たるのかについて認識可能な態様（丸囲み１と丸囲み２の順次点灯）で報知し、何かと関心事となる第２通路８２への振分の切換時期の遠近を知らせる振分状況報知手段８Ｄを設けている。右側の第１流路８１に対応させて第１流路目印８１０（丸囲み１の表示）を、左側の第２流路８２に対応させて第２流路目印８２０（丸囲み２の表示）を、それぞれシール等の貼付けにより表示している。
【００５２】
　ところで、「演出表示装置」とは、遊技機規則で定義する「特別図柄表示装置」での図柄の変動及び確定停止と同期した変動及び確定停止をする演出用の表示装置をいう。なお、「特別図柄表示装置」とは、特別電動役物及び条件装置が作動することとなる図柄の組合せを表示するための装置をいう（遊技機規則第６条別表第２（２）ヌ）。
　「条件装置」とは、その作動が役物連続作動装置の作動に必要な条件とされている装置で、特定の図柄の組合せが表示され、又は遊技球（役物連続作動装置が作動している時にその入口が開き、又は拡大した大入賞口に入賞したものを除く。）が大入賞口内の特定の領域を通過した場合に作動するものをいう（遊技機規則第６条別表第２（２）リ）。
【００５３】
　
遊技球振分装置８の右側の第１流路８１に対応して設けた第１始動口８Ｘ
左側の第２流路８２に対応して設けた第２始動口８Ｙ
【００５４】
　遊技盤２には、遊技球を通過させるゲートＧＴと、このゲートＧＴへの球通過を契機とした普通図柄抽選での当選を条件に開放する電動チューリップから成る普通電動役物ＧＤと、この
普通電動役物ＧＤを入口に設ける可変入賞装置付の第３始動口８Ｚ
を備える
【００５５】
　優側遊技価値は、大入賞口９を開放する大当り遊技後、普通図柄抽選での当選確率及び又は普通電動役物ＧＤの開放時間を劣側遊技価値の場合に比べて大にすることにより可変入賞装置付の第３始動口８Ｚを契機とした抽選効率の高い時短大当りとしている。また、劣側遊技価値は、大入賞口９を開放する大当り遊技後、普通図柄抽選での当選確率及び又は普通電動役物ＮＤの開放時間を優側遊技価値の場合に比べて小にすることにより可変入賞装置付の第３始動口８Ｚを契機とした抽選効率の低い非時短大当りとしている。なお、可変入賞装置付の第３始動口８Ｚへの入球により、優側遊技価値である時短大当りを劣側遊技価値である非時短大当りよりも高率で付与する仕様にしている。
【００５６】
　劣側の始動口である第１始動口８Ｘへの入球を契機として、表示器ボードＤＢ内の第１特別図柄表示装置ＳＤ１上で第１特別図柄を変動させると共に、演出表示装置７０上で演出図柄を変動させ、所定時間経過後、第１特別図柄表示装置ＳＤ１及び演出表示装置７０で同時に大当りの当否を停止図柄の違い（当選時は第１特別図柄表示装置ＳＤ１に「７」や「３」等、演出表示装置７０に「７」「７」「７」や「３」「３」「３」等、外れ時は同ＳＤ１にバー「−」、同７０に非三つ揃い図柄の組合せ）により導出する。
Ｈ１，Ｈ２，Ｈ３，Ｈ４は、最大４個の保留中にある、第１始動口８Ｘへの入球に基づく大当り抽選の権利数を表示する第１特別図柄保留表示器
【００５７】
　優側の始動口である第２始動口８Ｙ又は可変入賞装置付の第３始動口８Ｚへの入球を契機として、表示器ボードＤＢ内の第２特別図柄表示装置ＳＤ２上で第２特別図柄を変動させると共に、演出表示装置７０上で演出図柄を変動させ、所定時間経過後、第２特別図柄表示装置ＳＤ２及び演出表示装置７０で同時に大当りの当否を停止図柄の違い（当選時は第２特別図柄表示装置ＳＤ２に「７」や「３」等、演出表示装置７０に「７」「７」「７」や「３」「３」「３」等、外れ時は同ＳＤ２にバー「−」、同７０に非三つ揃い図柄の組合せ）により導出する。
Ｋ１，Ｋ２，Ｋ３，Ｋ４は、最大４個の保留中にある、第２始動口８Ｙ又は第３始動口８Ｚへの入球に基づく大当り抽選の権利数を表示する第２特別図柄保留表示器
　（ウ）上記（ア）及び（イ）からみて、引用例２には、次の事項が記載されている。
「遊技盤上を転動する遊技球を受入れて二つの流路の何れかに振分ける遊技球振分装置を具備するパチンコ遊技機（【０００１】）において、
　遊技球振分装置８の右側の第１流路８１に対応して設けた第１始動口８Ｘと、同左側の第２流路８２に対応して設けた第２始動口８Ｙ（【００５３】）と、普通電動役物ＧＤを入口に設ける可変入賞装置付の第３始動口８Ｚ（【００５４】）と、を備え、
　最大４個の保留中にある、第１始動口８Ｘへの入球に基づく大当り抽選の権利数を表示する第１特別図柄保留表示器Ｈ１，Ｈ２，Ｈ３，Ｈ４（【００５６】）と、最大４個の保留中にある、第２始動口８Ｙ又は第３始動口８Ｚへの入球に基づく大当り抽選の権利数を表示する第２特別図柄保留表示器Ｋ１，Ｋ２，Ｋ３，Ｋ４（【００５７】）と、をさらに備えること。」（以下「引用例２の記載事項」という。）
（４）対比
　ア　本願補正発明と引用発明とを対比する。なお、以下の見出し（ａ）ないし（ｌ）は、本願補正発明のＡないしＬに対応させている。
　（ａ）（ｈ）引用発明の「遊技領域ＹＲ１」、「始動入賞口１４Ａ，１４Ｂ，１７」、「遊技球」、「変動表示」及び「パチンコ遊技機１０」は、それぞれ本願補正発明の「遊技領域」、「始動領域」、「遊技媒体」、「可変表示」及び「遊技機」に相当する。また、引用発明の「パチンコ遊技機１０」（遊技機）は、「遊技領域ＹＲ１」（遊技領域）が形成され、「始動入賞口１４Ａ，１４Ｂ，１７」（始動領域）に「遊技球」（遊技媒体）が入賞したときに、特別図柄が「変動表示」（可変表示）されるものである。してみると、引用発明の特定事項ａ、ｈにより特定される構成は、本願補正発明の「Ａ　遊技媒体が進入可能な遊技領域が設けられ、始動領域を遊技媒体が通過したことに基づいて可変表示を行う遊技機」を備える。
　また、引用発明は、「始動入賞口１４Ａ，１４Ｂ，１７」（始動領域）に「遊技球」（遊技媒体）が入賞したときに、特別図柄が表示手段により「変動表示」（可変表示）されるものであり、該「変動表示」は、特別図柄が変動表示中でない等という条件に基づいて実行されることが技術常識であるから、引用発明の特定事項ａ，ｈにより特定される構成は、本願補正発明の「Ｈ　前記第１検出手段と前記第２検出手段と前記第３検出手段とのいずれかにより遊技媒体が検出されたことにより可変表示の実行条件が成立した後、可変表示の開始条件が成立したことにもとづいて可変表示を行う可変表示手段」を備えることは明らかである。
　（ｂ）引用発明の「第１始動入賞口１４Ａ」、「第２始動入賞口１４Ｂ」及び「第３始動入賞口１７」は、それぞれ本願補正発明の「第１始動領域」、「第２始動領域」及び「第３始動領域」に相当する。そして、引用発明の「始動入賞口１４Ａ，１４Ｂ，１７」は、「第１始動入賞口１４Ａ」（第１始動領域）、「第２始動入賞口１４Ｂ」（第２始動領域）及び「第３始動入賞口１７」（第３始動領域）であるから、引用発明の特定事項ｂは、本願補正発明の「Ｂ　前記始動領域として第１始動領域、第２始動領域および第３始動領域が設けられ」に相当する。
　（ｃ）引用発明の「振分装置４０」は、「遊技球」（遊技媒体）を第１と第２の始動入賞口１４Ａ，１４Ｂ（第１、２始動領域）に振り分け可能とするものであるから、本願補正発明の「遊技媒体を振り分けるための振分装置」に相当する。また、引用発明の「振分装置４０」は、遊技領域ＹＲ１に設けられているのであるから、引用発明の特定事項ｃは、本願補正発明の「Ｃ　遊技媒体を振り分けるための振分装置が前記遊技領域に設けられ」に相当する。
　（ｃ−１）引用発明の「振分装置４０」は、上端部で上方に開口し、遊技球が入球可能で入球口４１を含むものであり、該入球口４１は、本願補正発明の「Ｃ−１　遊技媒体が当該振分装置に流入可能な流入口」に相当する。
　（ｃ−２）引用発明の「振分装置４０」は、左側の誘導突条６０の下方かつ第１始動入賞口１４Ａの上方の領域Ｒ３とを合わせた第１の分岐流路と、右側の誘導突条６０の下方かつ第２始動入賞口１４Ｂの上方の領域Ｒ５とを合わせた第２の分岐流路を含むものであり、前記「第１の分岐流路」及び前記「第２の分岐流路」は、遊技球が通過可能な通路といえることは明らかであるから、「Ｃ−２　遊技媒体が通過可能な複数の通路」に相当する。
　（ｃ−３）引用発明の「振分装置４０」は、入球口４１に入球した遊技球９０を１個ずつ左右交互に振り分ける振分部材４２を含むものであり、該振分部材４２は、遊技球９０を１個ずつ左右交互に振り分けるものであり、振り分け先が前記「第１の分岐流路」及び前記「第２の分岐流路」（複数の通路）であることが明らかであるから、「Ｃ−３　遊技媒体を前記複数の通路のうちのいずれかに振り分ける振分手段」に相当する。
　（ｃ−３−１）（ｂ−１）（ｂ−２）引用発明の「振分部材４２」は、第１始動入賞口１４Ａと第２始動入賞口１４Ｂに交互に入賞するように、遊技球９０を１個ずつ左右交互に振り分けるものであり、各始動入賞口に交互に入賞させるために、各始動入賞口の上方に位置する前記「第１の分岐流路」及び前記「第２の分岐流路」（複数の通路）にそれぞれ遊技球９０を振り分けやすい状態に切り替わるものといえるから、引用発明の特定事項ｃ−３−１、ｂ−１、ｂ−２により特定される構成は、「Ｃ−３−１　前記振分手段は、前記複数の通路のうちの第１通路に遊技媒体を振り分けやすい第１状態と第２通路に遊技媒体を振り分けやすい第２状態とに所定の順序に従って切り替わり」を備えることは明らかである。
　また、同様に、引用発明の第１始動入賞口１４Ａは、第１の分岐流路に振り分けられた遊技球が通過しやすく、同第２始動入賞口１４Ｂは、第２の分岐流路に振り分けられた遊技球が通過しやすくなっていることも明らかであるから、引用発明の特定事項ｃ−３−１、ｂ−１、ｂ−２により特定される構成は、本願補正発明の「Ｂ−１　前記第１始動領域は、前記第１通路に振り分けられた遊技媒体が通過しやすい態様で設けられ」及び「Ｂ−２　前記第２始動領域は、前記第２通路に振り分けられた遊技媒体が通過しやすい態様で設けられ」を備えることは明らかである。
　（ｄ）（ｅ）引用発明の「球検出センサ５９」は、本願補正発明の「『第１検出手段』又は『第２検出手段』」に相当する。そして、引用発明は、「第１及び第２の始動入賞口１４Ａ，１４Ｂ」（第１、２始動領域）を構成する始動入賞口本体５８の上端部には、「球検出センサ５９」（第１、２検出手段）が備えられているから、引用発明の特定事項ｄ、ｅは、「Ｄ　前記第１始動領域を通過した遊技媒体を検出する第１検出手段」及び「Ｅ　前記第２始動領域を通過した遊技媒体を検出する第２検出手段」に相当する構成を備えることは明らかである。
　（ｇ）引用発明は、第１始動入賞口１４Ａと第２始動入賞口１４Ｂに交互に入賞するように遊技球を振り分けていることを前提としているから、該「交互に入賞する」ことが、本願補正発明の「前記第１検出手段および前記第２検出手段によって検出された遊技媒体の通過順序が所定の順序」に相当するものといえる。そうすると、引用発明における「第１始動入賞口１４Ａ又は第２始動入賞口１４Ｂに２個以上連続入賞した場合」とは、「交互に入賞する」（所定の順序）とは異なる入賞順が発生したものと解することができ、異なる入賞順が発生したときに異常報知を行うものであり、異常報知を行う際に異常と「判定」していることは技術常識からみて明らかである。そうしてみると、引用発明の特定事項ｇ、ｇ−１は、本願補正発明の「Ｇ　前記第１検出手段および前記第２検出手段によって検出された遊技媒体の通過順序が所定の順序と異なる入賞順異常が発生した場合に異常と判定する異常判定手段」に相当する構成を備えることは明らかである。
　
　（ｉ）（ｊ）引用発明は、「第１及び第２の始動入賞口１４Ａ，１４Ｂ」（第１始動領域、第２始動領域）に入賞した遊技球の保留記憶数の合計（以下「第１保留記憶数」という。）が、青色の「１」〜「８」までの数字で表示され、「第３始動入賞口１７」（第３始動領域）に入賞した遊技球の保留記憶数（以下「第２保留記憶数」という。）が、赤色の「１」〜「４」までの数字で表示されているから、「第１保留記憶数」及び「第２保留記憶数」のそれぞれに対応した本願補正発明の「第１保留記憶手段」及び「第２保留記憶手段」に相当する構成を備えることは明らかである。
　また、引用発明における、「第１保留記憶数」を青色の「１」〜「８」までの数字で表示すること、及び、「第２保留記憶数」を赤色の「１」〜「４」までの数字で表示することは、本願補正発明の「保留記憶として所定の上限値まで記憶する」ことに相当する構成を備えることは明らかである。
　また、引用発明において、第１及び第２の始動入賞口１４Ａ，１４Ｂの球検出センサ５９（第１検出手段、第２検出手段）での検出、あるいは、第３始動入賞口１７の入賞（遊技媒体の通過）により、特別図柄の変動条件が成立後、変動開始条件が成立していない変動表示を保留記憶として「第１保留記憶手段」及び「第２保留記憶手段」に記憶することは明らかである。
　そして、引用発明において、第１及び第２の始動入賞口１４Ａ，１４Ｂの球検出センサ５９（第１検出手段、第２検出手段）での検出が「第１保留記憶数」に対応し、第３始動入賞口１７の入賞（遊技媒体の通過）が「第２保留記憶数」に対応するから、少なくとも第１の始動入賞口１４Ａの球検出センサ５９（第１検出手段）による検出が「第１保留記憶数」に対応し、少なくとも「第３始動入賞口１７」（第３始動入賞口１７）の入賞が「第２保留記憶数」に対応するといえる。同様に、本願補正発明も、少なくとも「第１検出手段」が「第１保留記憶手段」に対応し、少なくとも「第３始動領域」が「第２保留記憶手段」に対応するといえる。
　そうすると、引用発明の特定事項ｉ、ｊと、本願補正発明の特定事項Ｉ、Ｊとは、「Ｉ’　少なくとも前記第１検出手段により遊技媒体が検出されたことにより前記実行条件は成立したが、前記開始条件が成立していない可変表示について、保留記憶として所定の上限値まで記憶する第１保留記憶手段」及び「Ｊ’　少なくとも前記第３始動領域に遊技媒体が通過したことにより前記実行条件は成立したが、前記開始条件が成立していない可変表示について、保留記憶として所定の上限値まで記憶する第２保留記憶手段」である点で一致する。
　（ｋ）引用発明の「ストーリー演出」は、本願補正発明の「特別演出」に相当する。そして、引用発明は、第１始動入賞口１４Ａの４つの保留記憶に対応して、例えば、１，３，５，７章の「ストーリー演出」（特別演出）を用意すると共に、第２始動入賞口１４Ｂの４つの保留記憶に対応して、例えば、２，４，６，８章の「ストーリー演出」を用意すれば、１〜８章までの連続した「ストーリー演出」を可能としたものであるから、保留記憶の数に応じた「ストーリー演出」を実行するといえるとともに、該「ストーリー演出」を複数回の変動表示で実行するといえる。そうすると、引用発明の特定事項ｋは、本願補正発明の「Ｋ　保留記憶の数が特定値となったことにもとづいて複数回の可変表示において特別演出を実行する特別演出実行手段」に相当する構成を備える。
　（ｌ）上記（ａ）のとおり、引用発明の「パチンコ遊技機１０」は、本願補正発明の「遊技機」に相当する。
　イ　上記アからみて、本願補正発明と引用発明とは、
「Ａ　遊技媒体が進入可能な遊技領域が設けられ、始動領域を遊技媒体が通過したことに基づいて可変表示を行う遊技機であって、
　Ｂ　前記始動領域として第１始動領域、第２始動領域および第３始動領域が設けられ、
　Ｃ　遊技媒体を振り分けるための振分装置が前記遊技領域に設けられ、
　　　前記振分装置は、
　Ｃ−１　遊技媒体が当該振分装置に流入可能な流入口と、
　Ｃ−２　遊技媒体が通過可能な複数の通路と、
　Ｃ−３　遊技媒体を前記複数の通路のうちのいずれかに振り分ける振分手段と
　を含み、
　Ｃ−３−１　前記振分手段は、前記複数の通路のうちの第１通路に遊技媒体を振り分けやすい第１状態と第２通路に遊技媒体を振り分けやすい第２状態とに所定の順序に従って切り替わり、
　Ｂ−１　前記第１始動領域は、前記第１通路に振り分けられた遊技媒体が通過しやすい態様で設けられ、
　Ｂ−２　前記第２始動領域は、前記第２通路に振り分けられた遊技媒体が通過しやすい態様で設けられ、
　Ｄ　前記第１始動領域を通過した遊技媒体を検出する第１検出手段と、
　Ｅ　前記第２始動領域を通過した遊技媒体を検出する第２検出手段と、
　Ｇ　前記第１検出手段および前記第２検出手段によって検出された遊技媒体の通過順序が所定の順序と異なる入賞順異常が発生した場合に異常と判定する異常判定手段と
　を備え、
　Ｈ　前記第１検出手段と前記第２検出手段と前記第３検出手段とのいずれかにより遊技媒体が検出されたことにより可変表示の実行条件が成立した後、可変表示の開始条件が成立したことにもとづいて可変表示を行う可変表示手段と、
　Ｉ’　少なくとも前記第１検出手段により遊技媒体が検出されたことにより前記実行条件は成立したが、前記開始条件が成立していない可変表示について、保留記憶として所定の上限値まで記憶する第１保留記憶手段と、
　Ｊ’　少なくとも前記第３始動領域に遊技媒体が通過したことにより前記実行条件は成立したが、前記開始条件が成立していない可変表示について、保留記憶として所定の上限値まで記憶する第２保留記憶手段と、
　Ｋ　保留記憶の数が特定値となったことにもとづいて複数回の可変表示において特別演出を実行する特別演出実行手段と
　Ｌ　を更に備える遊技機。」である点で一致し、次の点で相違する。
　・相違点１（特定事項Ｆ、Ｇ−１）
　本願補正発明では、「前記第３始動領域を通過した遊技媒体を検出する第３検出手段」を備え、「前記異常判定手段は、前記第３検出手段の検出結果にかかわらず前記判定を行」うものであるに対し、
　引用発明では、そのような特定がない点。
　・相違点２（特定事項Ｉ、Ｊ）
　「第１保留記憶手段」及び「第２保留記憶手段」に関して、
　本願補正発明では、「第１保留記憶手段」が「前記第１検出手段により遊技媒体が検出されたこと」に基づき、「第２保留記憶手段」が「前記第２検出手段と前記第３検出手段とのいずれかにより遊技媒体が検出されたこと」に基づいて、「保留記憶として」「記憶する」のに対し、
　引用発明では、そのような特定がない点。
（５）判断
　引用発明における、本願補正発明の「第３検出手段」の有無については、相違点１、２の双方に関連するため、相違点１、２についてまとめて検討する。
　ア　引用発明は、第３始動入賞口１７に通過した遊技球を検出するための検出手段を備えることは明示していないが、第３始動入賞口１７への入賞を契機に特別図柄を変動表示させていること、同じく、特別図柄を変動表示させることに関連する第１始動入賞口１４Ａ及び第２始動入賞口１４Ｂが球検出センサ５９を備えていること及び技術常識に照らせば、引用発明の第３始動入賞口１７に入賞した遊技球を検出する検出手段、すなわち「第３検出手段」を備えることは引用発明に明示がなくとも自明な事項である。
　イ　引用例１には、異常報知が第３始動入賞口１７への入賞と関連することの記載は一切なされておらず、そもそも引用発明は、第１始動入賞口１４Ａ又は第２始動入賞口１４Ｂに遊技球が２個以上連続して入賞した場合に異常報知をするのであり、第３始動入賞口１７への入賞と異常報知とを関連させる必要がないものである。そして、上記アのとおり、第３始動入賞口１７に入賞した遊技球を検出する第３検出手段を実質的に備えるといえるから、引用発明において、「Ｇ−１　前記異常判定手段は、前記第３検出手段の検出結果にかかわらず前記判定を行」うようになすことは、引用例１に明示がなくとも、引用例１の記載全体から自明な事項であるか、仮に自明な事項でないとしても、当業者が適宜なし得たことである。
　以上のとおり、上記相違点１は実質的な相違点でないか、相違点であったとしても、引用発明において、上記相違点１に係る本願補正発明の特定事項のようになすことは当業者が容易になし得たことである。
　ウ　引用例２の記載事項（上記（３）イ（ウ））を再掲すると、「遊技盤上を転動する遊技球を受入れて二つの流路の何れかに振分ける遊技球振分装置を具備するパチンコ遊技機において遊技球振分装置８の右側の第１流路８１に対応して設けた第１始動口８Ｘと、同左側の第２流路８２に対応して設けた第２始動口８Ｙと、普通電動役物ＧＤを入口に設ける可変入賞装置付の第３始動口８Ｚと、を備え、最大４個の保留中にある、第１始動口８Ｘへの入球に基づく大当り抽選の権利数を表示する第１特別図柄保留表示器Ｈ１，Ｈ２，Ｈ３，Ｈ４（【００５６】）と、最大４個の保留中にある、第２始動口８Ｙ又は第３始動口８Ｚへの入球に基づく大当り抽選の権利数を表示する第２特別図柄保留表示器Ｋ１，Ｋ２，Ｋ３，Ｋ４と、をさらに備える」というものである。
　エ　引用発明も引用例２の記載事項も、遊技球振分装置を具備するパチンコ遊技機で共通し、第１始動口ないし第３始動口を備え、振分装置で遊技球を振り分ける先が第１始動口及び第２始動口である点でさらに共通するものである。そうすると、引用例２の記載事項に接した当業者であれば、引用発明において、引用例２の記載事項を適用しようと試みるものである。そして、具体的には、引用発明において、振分装置内に配置されている第１始動入賞口１４Ａ（第１始動領域）の球検出センサ５９（第１検出手段）で検出した遊技球の保留記憶数を前記第１保留記憶数として第１保留記憶手段に記憶し、第１始動入賞口１４Ａと同様に振分装置内に配置されている第２始動入賞口１４Ｂ（第２始動領域）の球検出センサ５９（第２検出手段）と第３始動入賞口の検出手段（第３検出手段）のいずれかで検出した遊技球の保留記憶数を前記第２保留記憶数として第２保留記憶手段に記憶するようになすこと、すなわち、上記相違点２に係る本願補正発明の特定事項のようになすことは、当業者が引用例２の記載事項に基づいて適宜なし得たことである。
　オ　以上のとおりであるから、引用発明において、上記相違点１及び２に係る本願補正発明の特定事項のようになすことは当業者が引用例２の記載事項に基づいて容易に想到し得たことである。
　カ　本願補正発明の奏する効果は、引用発明の奏する効果及び引用例２の記載事項の奏する効果から予測することができた程度のものである。
　キ　審判請求人の主張について
　（ア）審判請求人は、審判請求書において、概略以下のとおり主張している。
「３　本願発明が特許されるべき理由
　・・・略・・・
（４）　構成上の相違
　いずれの引用文献にも、本願請求項１に係る発明の少なくとも下記の構成が記載されていない。
　「前記第１検出手段および前記第２検出手段によって検出された遊技媒体の通過順序が所定の順序と異なる入賞順異常が発生した場合に異常と判定する異常判定手段」 
　
（５）　本願発明の有利な効果
　かかる構成上の相違により、本願請求項１に係る発明は引用文献に記載された発明と比較して有利な下記の効果を奏する。
　
　補正後の本願発明によれば、より精度の高い異常判定を行うことができる。
　・・・略・・・
　してみれば、補正後の本願発明と、引用文献１に開示されている事項とは、補正後の本願発明が「第１検出手段および第２検出手段によって検出された遊技媒体の通過順序が所定の順序と異なる入賞順異常が発生した場合」に異常と判定するのに対し、引用文献１に開示されている事項は「第１検出手段または第２検出手段によって遊技媒体が２個以上連続して検出された場合」に異常と判定する点で相違する。 
　
　そして、引用文献１に開示されている「異常判定手段」のように、「第１検出手段または第２検出手段によって遊技媒体が２個以上連続して検出された場合」に異常と判定する手法では、異常判定を行うことができない事象がある。」
　
　（イ）しかしながら、上記（４）ア（ｇ）のとおり、引用発明においては、第１始動入賞口１４Ａと第２始動入賞口１４Ｂとに交互に入賞していない場合（所定の順序とは異なる順序）を異常と判定しており、遊技媒体が２個以上連続して検出された場合に異常と判定すれば足りるものであるから、引用例１（引用文献１）に、本願補正発明の特定事項Ｇが記載されているといえる。してみると、審判請求人の主張を採用することはできない。
　
（５）独立特許要件のむすび
　以上のとおりであるから、本願補正発明は、当業者が引用例１に記載された発明及び引用例２の記載事項に基づいて容易に発明をすることができたものである。
　よって、本願補正発明は、特許法第２９条第２項の規定により特許出願の際独立して特許を受けることができないものである。
　
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１に係る発明は、平成２８年１２月１４日付けで補正された特許請求の範囲の請求項１に記載された事項によって特定されるものであるところ、そのうち請求項１に係る発明は、上記第２〔理由〕１（１）に本件補正前の請求項１として記載したとおりのものである。
　
２　原査定の理由の概略
　この出願の平成２８年１２月１４日付け手続補正により補正された請求項１に係る発明は、その出願前に日本国内又は外国において頒布され又は電気通信回線を通じて公衆に利用可能となった下記引用文献に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　引用文献１．特開２０１２−２３１９０２号公報
　引用文献２．特許第４９３８１５０公報
３　引用文献
（１）引用文献１（引用例１）及び引用文献２（引用例２）の記載事項は、上記第２〔理由〕３（２）に記載したとおりである。
　
４　対比・判断
　本願補正発明は、上記「第２〔理由〕１（２）」のとおり、本願発明を特定するために必要な事項を限定したものである。
　そうすると、本願発明の構成要件をすべて含み、さらに限定を付加したものに相当する本願補正発明が、上記「第２〔理由〕３（４）及び（５）」に記載したとおり、当業者が引用発明及び引用例２の記載事項に基づいて容易に発明をすることができたものであるから、本願発明も同様の理由により、当業者が引用発明及び引用例２の記載事項に基づいて容易に発明をすることができたものである。
　
５　むすび
　本願発明は、以上のとおり、当業者が引用例１に記載された発明及び引用例２の記載事項に基づいて容易に発明をすることができたものであるから、特許法第２９条第２項の規定により特許を受けることができない。
　よって、結論のとおり審決する。